(57)【要約】【課題】複数コンテンツの配信を同時に行う場合に、コンテンツの再生が乱れやすくなるという課題があった。【解決手段】優先順位の低いデータをコンテンツ中継器１００のデータ蓄積部１０６に一時的に保存したうえで、暗号変換処理部１０４の負荷が低い場合のみ、宅内端末２０への配信を行う構成をとる。つまり、配信サーバ１０からインターネット１５経由で複数のコンテンツを視聴する場合に、ボトルネックとなりやすい暗号変換処理部１０４の負荷状態に応じて優先度の低いコンテンツの配信を抑制することで、優先度の高いコンテンツの映像が乱れたり切断したりすることを防ぐ。【選択図】図１
2010074616.tif 000002
【特許請求の範囲】
【請求項１】
他の機器と通信を行う通信プロトコル処理部と、
宅内端末から依頼を受信するダウンロード依頼受信部と、
暗号化されたコンテンツのデータを取得するデータ取得部と、
前記取得したデータの暗号を変換する暗号変換処理部と、
前記暗号変換したデータを宅内へ配信するデータ配信部と、
前記暗号変換したデータのうち優先順位の低いデータを一時的に保存するデータ蓄積部と、
前記暗号変換処理の負荷状態を監視して前記データ蓄積部にデータ出力の指示を行う負荷状態監視部とを備え、
優先順位の低いデータの暗号変換及び宅内への配信は前記暗号変換処理の負荷が低いときに実施することを特徴とするコンテンツ中継器。
【請求項２】
請求項１記載のコンテンツ中継器において、
前記負荷状態監視部は、
前記暗号変換処理の負荷をデータサイズにより判断する変換データ量チェック部と、
出力するデータサイズを前記データ蓄積部へ通知する蓄積データ出力指示部とを備え、
一定時間内に暗号変換処理を実施したデータ量を閾値と比較することで負荷状態を判断することを特徴とするコンテンツ中継器。
【請求項３】
請求項２記載のコンテンツ中継器において、
前記負荷状態監視部は、
指定された転送レート以内で配信を行うためにデータ出力量の上限を保持する転送レート情報保持部と、
前記暗号変換処理の負荷をデータサイズにより判断する変換データ量チェック部と、
出力するデータサイズを前記データ蓄積部へ通知する蓄積データ出力指示部とを備え、
前記データ蓄積部のデータを特定の転送レートで配信することを特徴とするコンテンツ中継器。
【請求項４】
請求項２記載のコンテンツ中継器において、
前記負荷状態監視部は、
指定された時間帯に配信を行うために転送時刻情報を保持する転送時刻情報保持部と、
前記暗号変換処理の負荷をデータサイズにより判断する変換データ量チェック部と、
出力するデータサイズを前記データ蓄積部へ通知する蓄積データ出力指示部とを備え、
前記データ蓄積部のデータを特定の時間帯に一括配信することを特徴とするコンテンツ中継器。
【請求項５】
請求項２記載のコンテンツ中継器において、
ネットワーク上の外部端末からの問い合わせに応答するように、前記暗号変換処理の負荷状態を前記外部端末へ通知する負荷状態応答部を更に備えたことを特徴とするコンテンツ中継器。
【請求項６】
請求項１記載のコンテンツ中継器において、
前記負荷状態監視部は、
前記暗号変換処理の負荷を並列に実行しているコネクション数により判断する並列実行数チェック部と、
出力するデータサイズを前記データ蓄積部へ通知する蓄積データ出力指示部とを備え、
前記暗号変換処理を実施しているコネクションの数を閾値と比較することで負荷状態を判断することを特徴とするコンテンツ中継器。
【請求項７】
請求項１〜６のいずれか１項に記載のコンテンツ中継器において、
前記暗号変換処理部が処理したデータを表示のためにデコードするデコード処理部を更に備えたことを特徴とするコンテンツ中継器。
【請求項８】
請求項１〜６のいずれか１項に記載のコンテンツ中継器において、
前記暗号変換処理部が処理したデータを外部記憶装置に保存する外部データ記録部を更に備えたことを特徴とするコンテンツ中継器。
【請求項９】
請求項１〜８のいずれか１項に記載のコンテンツ中継器において、
前記通信プロトコル処理部は有線通信を使用することを特徴とするコンテンツ中継器。
【請求項１０】
請求項１〜８のいずれか１項に記載のコンテンツ中継器において、
前記通信プロトコル処理部は無線通信を使用することを特徴とするコンテンツ中継器。
【発明の詳細な説明】
【技術分野】
【０００１】
本発明は、複数のコンテンツデータを中継するコンテンツ中継器の技術に関するものである。
【背景技術】
【０００２】
従来の中継器において、インターネットと宅内とにおいて互いに異なる暗号通信を行う構成がある（例えば、特許文献１参照）。ここで、インターネットから受信したデータを宅内へ配信する際に、中継器にて暗号の変換を行う。
【０００３】
また、近年インターネット経由でコンテンツの配信を行うサービスが展開しつつあり、ＩＰ−ＳＴＢ（set top box）に代表されるインターネットからのコンテンツ取得を目的とした中継器においては、そのサービスに接続するため、著作権保護等の専用暗号処理を伴う機能が必要な状況である。
【特許文献１】特開２００６−１２１５１０号公報
【発明の開示】
【発明が解決しようとする課題】
【０００４】
しかしながら、従来の中継器においては、複数コンテンツの配信を同時に行う場合に、コンテンツの再生が乱れやすくなるという課題があった。すなわち、放送、ビデオオンデマンド（ＶＯＤ）等のリアルタイム性が要求される第１の中継動作と、コンテンツ購入のためのダウンロードのようなリアルタイム性が要求されない第２の中継動作とが同時に実行される場合に、大容量のファイルがバースト的に転送される第２の中継動作により第１の中継動作が影響を受け、リアルタイムな放送等の映像に乱れが生じることがあった。特に処理負荷が高い暗号変換については、複数のコンテンツが１つのハードウェア資源を共用するため、ボトルネックになりやすい。
【課題を解決するための手段】
【０００５】
上記課題を解決するため、本発明は、複数のコンテンツデータを中継する際に、ボトルネックとなりやすい暗号変換処理部の負荷状態に応じて優先度の低いコンテンツの配信を抑制することで、映像が乱れないようにすることとした。
【０００６】
具体的に説明すると、本発明のコンテンツ中継器は、他の機器と通信を行う通信プロトコル処理部と、宅内端末から依頼を受信するダウンロード依頼受信部と、暗号化されたコンテンツのデータを取得するデータ取得部と、前記取得したデータの暗号を変換する暗号変換処理部と、前記暗号変換したデータを宅内へ配信するデータ配信部と、前記暗号変換したデータのうち優先順位の低いデータを一時的に保存するデータ蓄積部と、前記暗号変換処理の負荷状態を監視して前記データ蓄積部にデータ出力の指示を行う負荷状態監視部とを備え、優先順位の低いデータの暗号変換及び宅内への配信は前記暗号変換処理の負荷が低いときに実施することを特徴とする。
【発明の効果】
【０００７】
本発明によるコンテンツ中継器によれば、複数のコンテンツデータを中継する際に、優先度の低いデータによって映像が乱れることを防ぐ機能を実現できる。すなわち、インターネット経由でコンテンツを視聴する場合に、複数のコンテンツ配信を実施しても、映像が乱れたり切断したりする状況を防ぐことができる。特に、暗号変換のためのハードウェア資源を複数搭載するコスト増を回避したうえで、複数コンテンツの配信に対応することができる。
【発明を実施するための最良の形態】
【０００８】
以下、コンテンツ中継器の実施形態について図面を参照して説明する。
【０００９】
《実施の形態１》
図１は、本発明の実施の形態１に係るコンテンツ中継器のブロック図である。これは、優先順位の低いコンテンツデータの暗号変換及び宅内への配信は暗号変換処理の負荷が低いときに実施することを特徴とするコンテンツ中継器の形態を示すものである。
【００１０】
図１のコンテンツ中継器１００は、インターネット１５を経由して配信サーバ１０に接続されるとともに、宅内端末２０に接続され、通信プロトコル処理部１０１、ダウンロード依頼受信部１０２、データ取得部１０３、暗号変換処理部１０４、データ配信部１０５、データ蓄積部１０６、負荷状態監視部１０７を備え、負荷状態監視部１０７は、変換データ量チェック部２０１、蓄積データ出力指示部２０２を有する点が特徴である。
【００１１】
宅内端末２０において、ダウンロード依頼送信部２１は、通信プロトコル処理部２２を介して、コンテンツ中継器１００に対しコンテンツ配信を依頼するパケットを送信する。コンテンツ中継器１００のダウンロード依頼受信部１０２は、通信プロトコル処理部１０１を介して、当該パケットを受信する。当該パケット内には、配信コンテンツのファイル名と、低優先度識別フラグ情報とが含まれる。低優先度識別フラグ情報とは、当該コンテンツの配信を低い優先度で実施することを示す情報である。この情報は、固有の識別番号でもよいし、特定のファイル拡張子による識別でもよい。ダウンロード依頼受信部１０２は、受信したパケットより、配信コンテンツのファイル名と、低優先度識別フラグ情報とを取り出し、データ取得部１０３に対して通知する。
【００１２】
データ取得部１０３は、通信プロトコル処理部１０１を介して、配信サーバ１０よりコンテンツ配信を受ける。このとき、データ取得部１０３は、配信コンテンツのファイル名と、配信サーバ１０から配信されるコンテンツデータとの対応を一意に識別可能なコネクション識別情報を生成する。例えばＩＰネットワークの場合、ソケットディスクリプタ（socket descriptor）と呼ばれるコネクション識別情報がある。更に、データ取得部１０３は、ダウンロード依頼受信部１０２からの通知に低優先度識別フラグ情報が含まれる場合、配信コンテンツファイル名とコネクション識別情報とを１組として、図２に示すような低優先度データリストに記録する。
【００１３】
その後、配信サーバ１０より配信されるコンテンツデータは、通信プロトコル処理部１０１を介して、コネクション識別情報を付加してデータ取得部１０３に渡される。データ取得部１０３は、コネクション識別情報を低優先度データリストと照合して一致した場合、対応する配信コンテンツファイル名と、コンテンツデータとをデータ蓄積部１０６に渡す。データ蓄積部１０６は、データ取得部１０３から受け取ったコンテンツデータを保持記憶する。一方、低優先度データリストと照合して一致しなかった場合は、優先度の高いコンテンツと判断し、コンテンツデータを暗号変換処理部１０４へ直接渡し、データ配信部１０５、通信プロトコル処理部１０１を介して、宅内端末２０へ配信を行う。
【００１４】
一方、負荷状態監視部１０７では、変換データ量チェック部２０１が、一定の時間間隔ごとに暗号変換処理部１０４が処理を行った累積データサイズを取得する。その時間間隔内で処理したデータサイズが一定の閾値よりも大きい場合、負荷が大きいと判断し、何もしない。閾値よりも小さい場合、蓄積データ出力指示部２０２に対して、配信可能なデータサイズを通知する。データサイズの算出方法は、例えば、閾値に対して空いているデータサイズ（閾値−時間間隔内で処理したデータサイズ）で算出する。
【００１５】
蓄積データ出力指示部２０２は、一定の時間間隔内で配信可能なデータサイズの通知を変換データ量チェック部２０１から受けた場合に、データ蓄積部１０６に対して、配信可能なデータサイズを通知する。データ蓄積部１０６は、通知されたデータサイズ分だけ、保持記憶していたコンテンツデータを、暗号変換処理部１０４に対して出力する。
【００１６】
本実施の形態によれば、複数のコンテンツデータを中継する際に、処理負荷が高くボトルネックになりやすい暗号変換処理部１０４の負荷が低いタイミングで優先度の低いデータの配信を行うことで、優先度の低いデータによって映像が乱れないようにすることができる。また、暗号変換処理部１０４の負荷状態を、処理したデータサイズによって判断するため、暗号変換処理部１０４のデータ処理性能が判っている場合に特に有効である。
【００１７】
《実施の形態２》
図３は、本発明の実施の形態２に係るコンテンツ中継器のブロック図である。これは、優先順位の低いデータの配信には伝送するデータ量に上限を指定できることを特徴とするコンテンツ中継器の形態を示すものである。
【００１８】
図３のコンテンツ中継器１００は、負荷状態監視部１０７が転送レート情報保持部２０３を有する点が特徴である。
【００１９】
宅内端末２０において、ダウンロード依頼送信部２１は、通信プロトコル処理部２２を介して、コンテンツ中継器１００に対しコンテンツ配信を依頼するパケットを送信する。コンテンツ中継器１００のダウンロード依頼受信部１０２は、通信プロトコル処理部１０１を介して、当該パケットを受信する。当該パケット内には、配信コンテンツのファイル名と、低優先度識別フラグ情報と、転送レート情報とが含まれる。転送レート情報とは、コンテンツの配信を低い優先度で実施する場合に、配信を行う上限のレートを指定するものである。この情報は、例えば単位時間あたりの配信データサイズの値である。
【００２０】
ダウンロード依頼受信部１０２は、受信したパケットより、配信コンテンツのファイル名と、低優先度識別フラグ情報とを取り出し、データ取得部１０３に対して通知する。更に、ダウンロード依頼受信部１０２は、受信したパケットより転送レート情報を取り出し、転送レート情報保持部２０３に対して通知する。転送レート情報保持部２０３は、当該転送レート情報を記憶する。
【００２１】
データ取得部１０３は、通信プロトコル処理部１０１を介して、配信サーバ１０よりコンテンツ配信を受ける。このとき、データ取得部１０３は、配信コンテンツのファイル名と、配信サーバ１０から配信されるコンテンツデータとの対応を一意に識別可能なコネクション識別情報を生成する。更に、データ取得部１０３は、ダウンロード依頼受信部１０２からの通知に低優先度識別フラグ情報が含まれる場合、配信コンテンツファイル名とコネクション識別情報とを１組として、低優先度データリストに記録する。
【００２２】
その後、配信サーバ１０より配信されるコンテンツデータは、通信プロトコル処理部１０１を介して、コネクション識別情報を付加してデータ取得部１０３に渡される。データ取得部１０３は、コネクション識別情報を低優先度データリストと照合して一致した場合、対応する配信コンテンツファイル名と、コンテンツデータとをデータ蓄積部１０６に渡す。データ蓄積部１０６は、データ取得部１０３から受け取ったコンテンツデータを保持記憶する。一方、低優先度データリストと照合して一致しなかった場合は、優先度の高いコンテンツと判断し、コンテンツデータを暗号変換処理部１０４へ直接渡し、データ配信部１０５、通信プロトコル処理部１０１を介して、宅内端末２０へ配信を行う。
【００２３】
一方、負荷状態監視部１０７では、変換データ量チェック部２０１が、一定の時間間隔ごとに暗号変換処理部１０４が処理を行った累積データサイズを取得する。その時間間隔内で処理したデータサイズが一定の閾値よりも大きい場合、負荷が大きいと判断し、何もしない。閾値よりも小さい場合、蓄積データ出力指示部２０２に対して、配信可能なデータサイズを通知する。
【００２４】
蓄積データ出力指示部２０２は、一定の時間間隔内で配信可能なデータサイズの通知を変換データ量チェック部２０１から受けた場合に、転送レート情報保持部２０３にて保持記憶されている転送レート情報と比較し、配信可能なデータサイズを、転送レート情報の値よりも小さい値に補正して、データ蓄積部１０６に対して通知する。データ蓄積部１０６は、通知されたデータサイズ分だけ、保持記憶していたコンテンツデータを、暗号変換処理部１０４に対して出力する。
【００２５】
本実施の形態によれば、優先度の低いデータに対して配信に使用する帯域を制限することで、優先度の高いデータの配信のための帯域を確保することができる。
【００２６】
《実施の形態３》
図４は、本発明の実施の形態３に係るコンテンツ中継器のブロック図である。これは、優先順位の低いデータの配信時間帯を指定できることを特徴とするコンテンツ中継器の形態を示すものである。
【００２７】
図４のコンテンツ中継器１００は、負荷状態監視部１０７が転送時刻情報保持部２０４を有する点が特徴である。
【００２８】
宅内端末２０において、ダウンロード依頼送信部２１は、通信プロトコル処理部２２を介して、コンテンツ中継器１００に対しコンテンツ配信を依頼するパケットを送信する。コンテンツ中継器１００のダウンロード依頼受信部１０２は、通信プロトコル処理部１０１を介して、当該パケットを受信する。当該パケット内には、配信コンテンツのファイル名と、低優先度識別フラグ情報と、転送時刻情報とが含まれる。転送時刻情報とは、低い優先度のコンテンツ配信を特定の時間帯に実施するために指定するものであり、例えば日付と時刻とを含む。
【００２９】
ダウンロード依頼受信部１０２は、受信したパケットより、配信コンテンツのファイル名と、低優先度識別フラグ情報とを取り出し、データ取得部１０３に対して通知する。更に、ダウンロード依頼受信部１０２は、受信したパケットより転送時刻情報を取り出し、転送時刻情報保持部２０４に対して通知する。転送時刻情報保持部２０４は、当該転送時刻情報を記憶する。
【００３０】
データ取得部１０３は、通信プロトコル処理部１０１を介して、配信サーバ１０よりコンテンツ配信を受ける。このとき、データ取得部１０３は、配信コンテンツのファイル名と、配信サーバ１０から配信されるコンテンツデータとの対応を一意に識別可能なコネクション識別情報を生成する。更に、データ取得部１０３は、ダウンロード依頼受信部１０２からの通知に低優先度識別フラグ情報が含まれる場合、配信コンテンツファイル名とコネクション識別情報とを１組として、低優先度データリストに記録する。
【００３１】
その後、配信サーバ１０より配信されるコンテンツデータは、通信プロトコル処理部１０１を介して、コネクション識別情報を付加してデータ取得部１０３に渡される。データ取得部１０３は、コネクション識別情報を低優先度データリストと照合して一致した場合、対応する配信コンテンツファイル名と、コンテンツデータとをデータ蓄積部１０６に渡す。データ蓄積部１０６は、データ取得部１０３から受け取ったコンテンツデータを保持記憶する。一方、低優先度データリストと照合して一致しなかった場合は、優先度の高いコンテンツと判断し、コンテンツデータを暗号変換処理部１０４へ直接渡し、データ配信部１０５、通信プロトコル処理部１０１を介して、宅内端末２０へ配信を行う。
【００３２】
一方、負荷状態監視部１０７では、変換データ量チェック部２０１が、一定の時間間隔ごとに暗号変換処理部１０４が処理を行った累積データサイズを取得する。その時間間隔内で処理したデータサイズが一定の閾値よりも大きい場合、負荷が大きいと判断し、何もしない。閾値よりも小さい場合、蓄積データ出力指示部２０２に対して、配信可能なデータサイズを通知する。
【００３３】
蓄積データ出力指示部２０２は、一定の時間間隔内で配信可能なデータサイズの通知を変換データ量チェック部２０１から受けた場合に、転送時刻情報保持部２０４にて保持記憶されている転送時刻情報と現在の時刻とを比較し、転送時刻情報の指定時刻を過ぎている場合のみ、配信可能なデータサイズをデータ蓄積部１０６に対して通知する。データ蓄積部１０６は、通知されたデータサイズ分だけ、保持記憶していたコンテンツデータを、暗号変換処理部１０４に対して出力する。
【００３４】
本実施の形態によれば、優先度の低いデータの配信時間帯を指定できるので、例えば夜間等のあまり通信を利用しない時間帯に優先度の低いデータを一括配信することができる。
【００３５】
《実施の形態４》
図５は、本発明の実施の形態４に係るコンテンツ中継器のブロック図である。これは、外部端末に対して負荷状態を通知することで、外部端末がコンテンツ配信に使用する中継器を選択するための情報を提供することを特徴とするコンテンツ中継器の形態を示すものである。
【００３６】
図５のコンテンツ中継器１００は、負荷状態応答部１０８を備える点が特徴である。宅内端末２０において、ダウンロード依頼先判定部２３は、通信プロトコル処理部２２を介して、コンテンツ中継器１００に対し通信の負荷状態の問い合わせを行う。
【００３７】
コンテンツ中継器１００の負荷状態応答部１０８は、通信プロトコル処理部１０１を介して負荷状態の問い合わせを受け取った場合、変換データ量チェック部２０１に対して、暗号変換処理部１０４の現在の負荷状態を表す情報の取得を依頼し、一定の時間間隔内で処理したデータサイズを取得し、通信プロトコル処理部１０１を介して、宅内端末２０へ一定の時間間隔内で処理したデータサイズを通知する。
【００３８】
宅内端末２０のダウンロード依頼先判定部２３は、通信プロトコル処理部２２を介して、一定の時間間隔内で処理したデータサイズを受け取ることで、コンテンツ中継器１００の負荷状態を認識することができる。これにより、宅内端末２０にて他の中継器の負荷状態と比較し、コンテンツ配信に使用する中継器を選択することが可能になる。
【００３９】
本実施の形態によれば、外部端末に対して負荷状態を通知することで、外部端末がコンテンツ配信に使用する中継器を選択するための情報を提供することができる。
【００４０】
《実施の形態５》
図６は、本発明の実施の形態５に係るコンテンツ中継器のブロック図である。これは、優先順位の低いデータの暗号変換及び宅内への配信を暗号変換処理の負荷が低いときに実施するうえで、暗号変換を並列に実行しているコネクション数に基づいた判断を行うことを特徴とするコンテンツ中継器の形態を示すものである。
【００４１】
図６のコンテンツ中継器１００は、負荷状態監視部１０７が並列実行数チェック部２０５を有する点が特徴である。並列実行数チェック部２０５は、一定の時間間隔ごとに暗号変換処理部１０４が並列に処理を行っている暗号変換の数を取得する。並列に実行している暗号変換の数が一定の閾値よりも大きい場合、負荷が大きいと判断し、何もしない。閾値よりも小さい場合、蓄積データ出力指示部２０２に対して、配信可能なデータサイズを通知する。このときのデータサイズは、例えば予め設定された値を使用する。
【００４２】
本実施の形態によれば、暗号変換処理部１０４の負荷状態を、暗号変換を並列に実行しているコネクション数に基づいて判断するため、暗号変換処理部１０４が並列で処理できるコネクション数に制約がある場合に有効である。
【００４３】
《実施の形態６》
図７は、本発明の実施の形態６に係るコンテンツ中継器のブロック図である。これは、実施の形態１〜５のうちのいずれかに映像表示機能を付加したことを特徴とするコンテンツ中継器の形態を示すものである。
【００４４】
図７のコンテンツ中継器１００は、暗号変換処理部１０４が処理したデータを表示のためにデコードするデコード処理部１１１を有する点が特徴である。
【００４５】
本実施の形態によれば、中継機能を持った映像受像機（テレビ等）を実現でき、スペース効率等の点で利便性が高い。
【００４６】
《実施の形態７》
図８は、本発明の実施の形態７に係るコンテンツ中継器のブロック図である。これは、実施の形態１〜５のうちのいずれかに映像蓄積機能を付加したことを特徴とするコンテンツ中継器の形態を示すものである。
【００４７】
図８のコンテンツ中継器１００は、暗号変換処理部１０４が処理したデータを外部記憶装置に保存する外部データ記録部１１２を有する点が特徴である。
【００４８】
本実施の形態によれば、中継機能を持った映像蓄積機（ハードディスクレコーダ等）を実現でき、スペース効率等の点で利便性が高い。
【００４９】
なお、以上の各実施の形態における処理は、ソフトウェアで実現してもよい。そして、このソフトウェアをダウンロード等により配布してもよい。また、このソフトウェアをＣＤ−ＲＯＭ等の記録媒体に記録して流布してもよい。ただし、ハードウェア（専用回路）で実現してもよい。
【００５０】
また、以上の各実施の形態において使用する通信メディアは、有線、無線のいずれでもよく、また特定のプロトコルによらない。
【００５１】
本発明は、以上の各実施の形態に限定されることなく、種々の変更が可能であり、それらも本発明の範囲内に包含されるものであることは言うまでもない。
【産業上の利用可能性】
【００５２】
以上のように、本発明に係るコンテンツ中継器は、インターネット経由でコンテンツを視聴する場合に、複数のコンテンツ配信を実施しても、映像が乱れたり切断したりする状況を防ぐことができる。特に、暗号変換のためのハードウェア資源を複数搭載するコスト増を回避したうえで、複数コンテンツの配信に対応することができるという効果を有し、コンテンツ中継器、及び中継機能を内蔵したテレビ、ハードディスクレコーダ等として有用である。
【図面の簡単な説明】
【００５３】
【図１】本発明の実施の形態１に係るコンテンツ中継器のブロック図である。
【図２】図１の実施の形態におけるデータ振り分けのための低優先度データリストの例を示す図である。
【図３】本発明の実施の形態２に係るコンテンツ中継器のブロック図である。
【図４】本発明の実施の形態３に係るコンテンツ中継器のブロック図である。
【図５】本発明の実施の形態４に係るコンテンツ中継器のブロック図である。
【図６】本発明の実施の形態５に係るコンテンツ中継器のブロック図である。
【図７】本発明の実施の形態６に係るコンテンツ中継器のブロック図である。
【図８】本発明の実施の形態７に係るコンテンツ中継器のブロック図である。
【符号の説明】
【００５４】
１０  配信サーバ
１５  インターネット
２０  宅内端末
２１  ダウンロード依頼送信部
２２  通信プロトコル処理部
２３  ダウンロード依頼先判定部
１００  コンテンツ中継器
１０１  通信プロトコル処理部
１０２  ダウンロード依頼受信部
１０３  データ取得部
１０４  暗号変換処理部
１０５  データ配信部
１０６  データ蓄積部
１０７  負荷状態監視部
１０８  負荷状態応答部
１１１  デコード処理部
１１２  外部データ記録部
２０１  変換データ量チェック部
２０２  蓄積データ出力指示部
２０３  転送レート情報保持部
２０４  転送時刻情報保持部
２０５  並列実行数チェック部
【図１】
2010074616.tif 000003
【図２】
2010074616.tif 000004
【図３】
2010074616.tif 000005
【図４】
2010074616.tif 000006
【図５】
2010074616.tif 000007
【図６】
2010074616.tif 000008
【図７】
2010074616.tif 000009
【図８】
2010074616.tif 000010